【手続補正書】
【提出日】平成25年3月22日(2013.3.22)
【手続補正１】
【補正対象書類名】明細書
【補正対象項目名】０００６
【補正方法】変更
【補正の内容】
【０００６】
本発明の一態様によると、
第１画像を表す第１画像データと第２画像を表す第２画像データとを取得する取得手段と、
前記第１画像と前記第２画像とを合成する条件を変えながら複数回の合成を行うともに、この合成によって生成された複数の合成画像を所定の順番で再生する合成画像再生処理を制御する制御手段と、
前記合成画像再生処理における合成の条件または再生する順番の条件を含む処理条件を任意に指定する条件指定手段と、
前記取得手段により取得された第１画像データおよび第２画像データと、前記条件指定手段により指定された処理条件とに基づいて、当該処理条件が示す合成の条件または再生する順番の条件に従って前記合成画像再生処理を行うことが可能な動画ファイルを生成する動画ファイル生成手段と、
を備え、
前記制御手段は、前記動画ファイル生成手段により動画ファイルを生成することにより、この動画ファイルに基づいて自装置または他装置により任意のタイミングで実行される前記合成画像再生処理を制御することを特徴とする動画ファイル生成装置を提供する。
【手続補正２】
【補正対象書類名】特許請求の範囲
【補正対象項目名】全文
【補正方法】変更
【補正の内容】
【特許請求の範囲】
【請求項１】
第１画像を表す第１画像データと第２画像を表す第２画像データとを取得する取得手段と、
前記第１画像と前記第２画像とを合成する条件を変えながら複数回の合成を行うともに、この合成によって生成された複数の合成画像を所定の順番で再生する合成画像再生処理を制御する制御手段と、
前記合成画像再生処理における合成の条件または再生する順番の条件を含む処理条件を任意に指定する条件指定手段と、
前記取得手段により取得された第１画像データおよび第２画像データと、前記条件指定手段により指定された処理条件とに基づいて、当該処理条件が示す合成の条件または再生する順番の条件に従って前記合成画像再生処理を行うことが可能な動画ファイルを生成する動画ファイル生成手段と、
を備え、
前記制御手段は、前記動画ファイル生成手段により動画ファイルを生成することにより、この動画ファイルに基づいて自装置または他装置により任意のタイミングで実行される前記合成画像再生処理を制御することを特徴とする動画ファイル生成装置。
【請求項２】
前記動画ファイル生成手段は、前記条件指定手段により指定された処理条件に従った前記合成画像再生処理の少なくとも一部について、この一部の処理が実行済みであるファイル形式と、この一部の処理が未実行であるファイル形式とを含む複数のファイル形式の動画ファイルを生成可能であることを特徴とする請求項１記載の動画ファイル生成装置。
【請求項３】
前記合成画像再生処理には、前記動画ファイル内における前記複数の合成画像の記録位置を示す複数のインデックスが前記処理条件で指定される再生の順番に並べられた複数のインデックスデータを生成するインデックスデータ生成処理を含み、
前記動画ファイル生成手段は、前記インデックスデータ生成処理が実行済みであるファイル形式と、前記インデックスデータ生成処理は未実行であるが、このインデックスデータ生成処理を実行する際の補助データとして前記処理条件が含まれるファイル形式と、を含む複数のファイル形式の動画ファイルを生成可能であることを特徴とする請求項２記載の動画ファイル生成装置。
【請求項４】
前記インデックスデータ生成処理が実行済みであるファイル形式で記録された動画ファイルの再生が指示された場合に、この動画ファイル内の複数のインデックスデータが示す順番で、この動画ファイル内の複数の合成画像を再生し、前記インデックスデータ生成処理が未実行であるファイル形式で記録された動画ファイルの再生が指示された場合に、この動画ファイルに含まれる補助データである前記処理条件で指定される再生の順番に並べられた複数のインデックスデータを生成し、この生成された複数のインデックスデータが示す順番で、この動画ファイル内の複数のフレーム画像データを再生する再生制御手段と、
を更に備えることを特徴とする請求項３に記載の動画ファイル生成装置。
【請求項５】
前記動画ファイル生成手段は、前記処理条件で指定される合成の条件に従って前記第１画像データで表される前記第１画像と前記第２画像データで表される前記第２画像とを複数回合成する複数合成処理が実行済みであるファイル形式と、この複数合成処理は未実行であるが、この複数合成処理が実行される前の前記第１画像データと前記第２画像データ、およびこの複数合成処理を実行する際の補助データとして前記処理条件が含まれるファイル形式と、を含む複数のファイル形式の動画ファイルを生成可能であることを特徴とする請求項４に記載の動画ファイル生成装置。
【請求項６】
前記複数合成処理が実行済みであるファイル形式で記録された動画ファイルの再生が指示された場合に、この動画ファイルに含まれる複数の合成画像を指定された順番で再生し、前記複数合成処理が未実行であるファイル形式で記録された動画ファイルの再生が指示された場合に、この動画ファイルに含まれる前記第１画像データで表される前記第１画像と、この動画ファイルに含まれる前記第２画像データで表される前記第２画像を、この動画ファイルに含まれる補助データである前記処理条件で指定される合成の条件に従って複数回合成する複数合成処理を行って複数の合成画像を生成してから、この生成された複数の合成画像を指定された順番で再生することを特徴とする請求項５に記載の動画ファイル生成装置。
【請求項７】
前記合成画像再生処理は、前記第１画像内の部分画像を切り抜いて前記第２画像に合成する合成処理を、前記部分画像を切り抜く位置または前記部分画像の切り抜き対象となる前記第１画像を変えながら複数回実行する複数合成処理を行うことで前記複数の合成画像を生成することを特徴とする請求項４乃至６のいずれかに記載の動画ファイル生成装置。
【請求項８】
前記第１画像データは動画データであり、この動画データを構成する複数のフレーム画像として複数の前記第１画像を含み、
前記複数合成処理は、動画データである前記第１画像データを構成する複数の前記第１画像を対象とし、前記第２画像に合成する前記第１画像を変えながら前記複数合成処理を行うことを特徴とする請求項７に記載の動画ファイル生成装置。
【請求項９】
前記第２画像データは静止画の画像データであることを特徴とする請求項８に記載の動画ファイル生成装置。
【請求項１０】
前記複数合成処理は、動画データである前記第１画像データ内における特定の被写体部分を検出し、この検出した特定の被写体部分に対応する部分画像を、前記第１画像データを構成する複数の前記第１画像の各々から切り抜いて前記第２画像に合成する合成処理を行うことを特徴とする請求項８または９に記載の動画ファイル生成装置。
【請求項１１】
前記複数合成処理は、動画データである前記第１画像データ内で動きのある動体部分を前記特定の被写体部分として検出することをとして指定する特徴とする請求項１０に記載の動画ファイル生成装置。
【請求項１２】
複数の原画像データから、第１画像データと第２画像データとを任意に指定する画像指定手段を更に備え、
前記取得手段は、前記画像指定手段により指定された前記第１画像データと前記第２画像データとを取得することを特徴とする請求項７乃至１１のいずれかに記載の動画ファイル生成装置。
【請求項１３】
前記画像指定手段は、前記第１画像内の部分画像を任意に指定し、
前記合成画像再生処理は、前記第１画像内より前記画像指定手段により指定された部分画像を切り抜いて前記第２画像に合成する合成処理を行うことを特徴とする請求項１２に記載の動画ファイル生成装置。
【請求項１４】
前記処理条件が示す合成の条件は、前記第２画像を背景として、前記第１画像から切り出した部分画像を前記第２画像に重ねて合成する条件であることを特徴とする請求項３乃至１３のいずれかに記載の動画ファイル生成装置。
【請求項１５】
前記処理条件が示す合成の条件は、前記第１画像から切り出した部分画像データを、その切り出し位置に対応する前記第２画像上の位置に合成する条件であることを特徴とする請求項１４記載の動画ファイル生成装置。
【請求項１６】
前記処理条件が示す再生する順番の条件は、前記部分画像と前記第２画像とを合成して生成した複数の合成画像を順番に再生する際の、繰り返し開始位置、繰り返し終了位置、繰り返し回数を含み、
前記動画ファイル生成手段は、前記処理条件に含まれる、繰り返し開始位置、繰り返し終了位置、繰り返し回数に従って、順番に再生される複数の合成画像の記録位置を指定する複数のインデックスデータを生成して、前記インデックスデータ生成処理が実行済みであるファイル形式の動画データを生成し、前記補助データとして、前記処理条件に含まれる、繰り返し開始位置、繰り返し終了位置、繰り返し回数の情報を含む前記インデックスデータ生成処理が未実行であるファイル形式の動画データを生成することを特徴とする請求項７乃至１５のいずれかに記載の動画ファイル生成装置。
【請求項１７】
前記再生制御手段は、前記インデックスデータ生成処理が未実行であるファイル形式で記録された動画ファイルの再生が指示された場合に、前記補助データに含まれる、繰り返し開始位置、繰り返し終了位置、繰り返し回数の情報に従って、順番に再生される複数の合成画像の記録位置を指定する複数のインデックスデータの生成を行いながら、この生成された複数のインデックスデータが示す順番で、この動画ファイル内の複数のフレーム画像データを再生することを特徴とする請求項４記載の動画ファイル生成装置。
【請求項１８】
前記処理条件が示す合成の条件は、前記第１画像と前記第２画像とを合成する際の合成位置または拡大縮小倍率を含み、
前記複数合成処理は、前記処理条件が示す前記合成位置または拡大縮小倍率に基づいて前記第１画像と前記第２画像とを合成する処理を含むことを特徴とする請求項５または７に記載の動画ファイル生成装置。
【請求項１９】
前記再生制御手段は、前記複数合成処理が未実行であるファイル形式で記録された動画ファイルの再生が指示された場合に、前記補助データに含まれる前記合成位置または拡大縮小倍率に従って、前記第１画像と前記第２画像とを合成する複数合成処理を行って複数の合成画像を生成してから、この生成された複数の合成画像を指定された順番で再生することを特徴とする請求項１８記載の動画ファイル生成装置。
【請求項２０】
前記動画ファイル生成手段は、前記複数合成処理が未実行であるファイル形式として、前記第１画像内の部分画像が切り抜かれた後の部分画像データと、前記第２画像データと、前記補助データとして、この部分画像データが示す部分画像と前記第２画像とを合成する際の合成位置の情報を含む動画データを生成することを特徴とする請求項５または６に記載の動画ファイル生成装置。
【請求項２１】
前記動画ファイル生成手段は、前記動画ファイル内における前記複数の合成画像の記録位置が前記処理条件で指定される再生の順番に従った記録位置となるように、前記複数の合成画像が記録されたファイル形式の動画ファイルを生成可能であることを特徴とする請求項３または４に記載の動画ファイル生成装置。
【請求項２２】
第１画像を表す第１画像データと第２画像を表す第２画像データとを取得する取得処理と、
前記第１画像と前記第２画像とを合成する条件を変えながら複数回の合成を行うともに、この合成によって生成された複数の合成画像を所定の順番で再生する合成画像再生処理を制御する制御処理と、
前記合成画像再生処理における合成の条件または再生する順番の条件を含む処理条件を任意に指定する条件指定処理と、
前記取得処理により取得された第１画像データおよび第２画像データと、前記条件指定処理により指定された処理条件とに基づいて、当該処理条件が示す合成の条件または再生する順番の条件に従って前記合成画像再生処理を行うことが可能な動画ファイルを生成する動画ファイル生成処理と、
を含み、
前記制御処理は、前記動画ファイル生成処理により動画ファイルを生成することにより、この動画ファイルに基づいて自装置または他装置により任意のタイミングで実行される前記合成画像再生処理を制御することを特徴とする動画ファイル生成方法。
【請求項２３】
コンピュータを、
第１画像を表す第１画像データと第２画像を表す第２画像データとを取得する取得手段と、
前記第１画像と前記第２画像とを合成する条件を変えながら複数回の合成を行うともに、この合成によって生成された複数の合成画像を所定の順番で再生する合成画像再生処理を制御する制御手段と、
前記合成画像再生処理における合成の条件または再生する順番の条件を含む処理条件を任意に指定する条件指定手段と、
前記取得手段により取得された第１画像データおよび第２画像データと、前記条件指定手段により指定された処理条件とに基づいて、当該処理条件が示す合成の条件または再生する順番の条件に従って前記合成画像再生処理を行うことが可能な動画ファイルを生成する動画ファイル生成手段と、
として機能させ、
前記制御手段は、前記動画ファイル生成手段により動画ファイルを生成することにより、この動画ファイルに基づいて自装置または他装置により任意のタイミングで実行される前記合成画像再生処理を制御することを特徴とする動画ファイル生成プログラム。